(57)【要約】【課題】弦に特別な加工を施すことなく、弦を巻き付けるだけで、弦の音高を安定化させ、調律を容易に行うことができるピアノのチューニングピンを提供する。【解決手段】本発明のチューニングピン１は、弦Ｓを挿入するための径方向に延びる弦挿入孔１ｅを有し、弦Ｓを巻き付けるための巻付部１ｃを備え、巻付部１ｃには、弦挿入孔１ｅの開口部付近を角部とし、弦Ｓの巻き付け方向に延びる巻付平面１ｆが形成されている。このチューニングピン１によって弦Ｓを張設する際には、弦Ｓの一端部を弦挿入孔１ｅに挿入した後、チューニングピン１を回転させる。これにより、弦Ｓは、巻付平面１ｆに沿って巻き付けられるとともに、弦挿入孔１ｅの開口部付近において、鋭角に曲げられる。その結果、弦Ｓの張力の分力が弦Ｓを弦挿入孔１ｅに押し込む方向に作用し、弦の緩みが防止され、その張設状態が良好に維持される。【選択図】図３
2012073339.tif 000002
【特許請求の範囲】
【請求項１】
ピアノ本体に設けられ、弦を巻き付けることによって張設するためのピアノのチューニングピンであって、
前記ピアノ本体に埋設される基部と、
当該基部の上側に配置され、前記弦を挿入するための径方向に延びる弦挿入孔を有し、前記弦を巻き付けるための巻付部と、を備え、
当該巻付部には、前記弦挿入孔の開口部付近を角部とし、前記弦の巻き付け方向に延びる少なくとも１つの巻付平面が形成されていることを特徴とするピアノのチューニングピン。
【請求項２】
前記巻付平面は、前記弦挿入孔の開口部付近を角部とする１つの巻付平面で構成されていることを特徴とする、請求項１に記載のピアノのチューニングピン。
【請求項３】
前記弦挿入孔は前記巻付部の径方向に貫通しており、
前記巻付平面は、前記弦挿入孔の両端の開口部付近をそれぞれ角部とし、前記弦の巻き付け方向に延びる２つの巻付平面で構成されていることを特徴とする、請求項１に記載のピアノのチューニングピン。
【請求項４】
前記巻付部には、前記２つの巻付平面に連続するガイド平面がさらに形成されていることを特徴とする、請求項３に記載のピアノのチューニングピン。
【発明の詳細な説明】
【技術分野】
【０００１】
本発明は、アコースティックピアノなどにおいて、弦を巻き付け、張設するためのピアノのチューニングピンに関する。
【背景技術】
【０００２】
従来のピアノのチューニングピンとして、例えば特許文献１に開示されたものが知られている。このチューニングピンは断面が円形のものであり、その円周面の基部側にはねじが形成され、その上側には、軸方向に延びる係止用凹部が形成されている。このチューニングピンは、ピアノ本体に設けられたピン板に、ねじの部分を介して埋設されている。一方、弦の一端部には、コイル状の巻付部があらかじめ形成されており、この巻付部の端部は、折り曲げられ、内側に突出した突部になっている。
【０００３】
このチューニングピンを用いて弦を張設する際には、まずチューニングピンに弦の巻付部を嵌めて圧入するとともに、巻付部の突部をチューニングピンの係止用凹部に係止させ、弦を取り付ける。次に、弦の他端部をヒッチピンに巻き掛けた後、チューニングピンを回転させ、弦を巻き付けることによって、弦を張設する。
【先行技術文献】
【特許文献】
【０００４】
【特許文献１】実開昭６４−３０５９７号公報
【発明の概要】
【発明が解決しようとする課題】
【０００５】
しかし、このチューニングピンでは、弦の巻付部の突部を、チューニングピンの円周面に形成された係止用凹部に係止しているだけなので、弦が強く張られたときに、巻付部の突部が変形したり、係止用凹部から外れたりすることがあり、その場合には、弦が緩み、弦の振動により発音される音の高さ（弦の音高）が不安定になるため、調律を容易に行えない。
【０００６】
本発明は、以上のような課題を解決するためになされたものであり、弦の緩みを防止し、その張設状態を良好に維持することができ、それにより、弦の音高を安定化させ、調律を容易に行うことができるピアノのチューニングピンを提供することを目的とする。
【課題を解決するための手段】
【０００７】
上記の目的を達成するために、請求項１に係る発明は、ピアノ本体に設けられ、弦を巻き付けることによって張設するためのピアノのチューニングピンであって、ピアノ本体に埋設される基部と、基部の上側に配置され、弦を挿入するための径方向に延びる弦挿入孔を有し、弦を巻き付けるための巻付部と、を備え、巻付部には、弦挿入孔の開口部付近を角部とし、弦の巻き付け方向に延びる少なくとも１つの巻付平面が形成されていることを特徴とする。
【０００８】
このチューニングピンは、その基部をピアノ本体に埋設することによって取り付けられる。また、巻付部の弦挿入孔に弦の一端部を挿入した後、チューニングピンを回転させ、巻付部に弦を巻き付けることによって、弦を張設する。
【０００９】
また、巻付部には、弦挿入孔の開口部付近を角部とする少なくとも１つの巻付平面が形成され、この巻付平面は、弦の巻き付け方向に延びている。この構成により、弦は、巻付平面に沿って巻き付けられるとともに、弦挿入孔の開口部付近において鋭角に曲げられる。この状態では、弦の張力の分力が弦を弦挿入孔に押し込む方向に作用するので、弦は、弦挿入孔から抜ける方向にスリップしにくくなる。その結果、弦の緩みが防止されることで、その張設状態を良好に維持することができ、したがって、弦の音高を安定化させ、調律を容易に行うことができる。
【００１０】
また、巻付平面の弦挿入孔と反対側の端部とそれに連なる巻付部の円周面との境界部に、緩やかな角部が形成され、この角部においても弦が曲げられるので、その分、弦がより強固に保持され、弦の張設状態をさらに良好に維持することができる。
【００１１】
請求項２に係る発明は、請求項１に記載のピアノのチューニングピンにおいて、巻付平面は、弦挿入孔の開口部付近を角部とする１つの巻付平面で構成されていることを特徴とする。
【００１２】
この構成によれば、巻付平面が１つのみであることで、巻付平面を形成することによる巻付部の断面積の減少が最小限に抑制されるので、チューニングピンの強度および剛性の低下を抑制でき、それにより、チューニングピンの破損や変形などの不具合を回避することができる。
【００１３】
請求項３に係る発明は、請求項１に記載のピアノのチューニングピンにおいて、弦挿入孔は巻付部の径方向に貫通しており、巻付平面は、弦挿入孔の両端の開口部付近をそれぞれ角部とし、弦の巻き付け方向に延びる２つの巻付平面で構成されていることを特徴とする。
【００１４】
この構成によれば、弦挿入孔が径方向に貫通しているので、弦を弦挿入孔に深く挿入することによって、弦をより確実に係止することができる。また、弦挿入孔の両開口部付近をそれぞれ角部とし、弦の巻き付け方向に延びる２つの巻付平面が形成されているので、弦を弦挿入孔のどちらの開口部から挿入しても、それに対応する巻付平面によって、弦が鋭角に曲げられることで、弦の張設状態を良好に維持することができる。さらに、弦を弦挿入孔のどちらの開口部から挿入してもよいので、弦の張設の作業性を向上させることができる。
【００１５】
さらに、２つの巻付平面が形成されていることで、各巻付平面の弦挿入孔と反対側の端部と巻付部の円周面との境界部に、それぞれ緩やかな角部が形成され、これらの角部においても弦が曲げられるので、その分、弦がより強固に保持され、弦の張設状態をさらに良好に維持することができる。
【００１６】
請求項４に係る発明は、請求項３に記載のピアノのチューニングピンにおいて、巻付部には、２つの巻付平面に連続するガイド平面がさらに形成されていることを特徴とする。
【００１７】
この構成によれば、２つの巻付平面に加えて、それらに連続するガイド平面が形成されていることで、各巻付平面とガイド平面によって、両者の境界部に角部が形成され、これらの角部においても弦が曲げられるので、その分、弦がより強固に保持され、弦の張設状態をさらに良好に維持することができる。
【図面の簡単な説明】
【００１８】
【図１】本発明の第１実施形態によるチューニングピンを用いたグランドピアノにおいて、弦を張設した状態を示す側断面図である。
【図２】第１実施形態によるチューニングピンの正面図である。
【図３】第１実施形態によるチューニングピンを、弦が巻き付けられた状態において示す断面図である。
【図４】第２実施形態によるチューニングピンを、弦が巻き付けられた状態において示す断面図である。
【図５】第３実施形態によるチューニングピンを、弦が巻き付けられた状態において示す断面図である。
【発明を実施するための形態】
【００１９】
以下、図面を参照しながら、本発明の好ましい実施形態を詳細に説明する。図１に示すように、グランドピアノ２は、鋳造品で構成されたフレーム３や板材で構成された響板８を備えている。フレーム３の前端部（図１の左端部）には、第１実施形態のチューニングピン１が立設され、後端部（図１の右端部）には、ヒッチピン７が立設されている。ヒッチピン７の前側には、カポ・ダストロ・バー３ａが、下方に突出するように一体に設けられている。また、ヒッチピン７とカポ・ダストロ・バー３ａの間には、響板８の上面に設けられた駒９が配置されており、駒９の上面には前後２つの駒ピン９ａ，９ａが立設されている。
【００２０】
弦Ｓは、一端部において、ヒッチピン７に引っ掛けられ、中間部において、駒９の駒ピン９ａ，９ａに係合し、カポ・ダストロ・バー３ａによって下方に押圧されるとともに、他端部において、チューニングピン１に巻き付けられた状態で、張設されている。
【００２１】
張設された弦Ｓは、鍵の押鍵に伴いハンマー（ともに図示せず）が打弦されることによって振動し、その振動が響板８に伝達されることによって、ピアノ音が発生する。また、グランドピアノ２の調律は、チューニングピン１を回転させ、弦Ｓの張りの強さを調整することによって行われる。
【００２２】
また、フレーム３の前端部の所定位置には、左右方向（図１の奥行方向）に延びるピン板４が取り付けられている。ピン板４は、カエデやブナなどの木材から成り、所定厚さを有する複数（この例では４枚）の単板４ａを、それぞれの繊維方向が互いに直交するように交互に積層した合板で構成されている。
【００２３】
フレーム３のピン板４よりも上側の部分には、多数のピン孔５（１つのみ図示）が上下方向に貫通するように形成されている。各ピン孔５は、所定の径を有する断面円形のものである。ピン孔５には、チューニングピンブッシュ６が埋め込まれている。このチューニングピンブッシュ６は、合成樹脂の成形品で構成され、円筒状に形成されている。チューニングピン１は、チューニングピンブッシュ６を貫通するとともに、ピン板４に部分的に埋設され、鉛直に対して前方に傾斜した状態で立設されている。
【００２４】
チューニングピン１は、高級炭素鋼で構成され、ピン孔５よりも小さな所定の径（例えばφ７）と、所定の長さ（例えば６４ｍｍ）を有している。チューニングピン１は、上端部の頭部１ａと、ピン板４に埋設される約下半部の基部１ｂと、弦Ｓを巻き付けるための、頭部１ａと基部１ｂの間の巻付部１ｃとによって構成されている。
【００２５】
このチューニングピン１の頭部１ａの断面は、調律時にチューニングハンマー（図示せず）で回転操作できるようにするため、ほぼ正方形に形成されている。また、基部１ｂは円形の断面を有し、その外周面には、ピン板４に対する回転摩擦力を大きくするとともに保持力を強化するために、ねじ１ｄが形成されている。
【００２６】
また、図２に示すように、チューニングピン１の巻付部１ｃには、弦挿入孔１ｅおよび巻付平面１ｆが形成されている。この弦挿入孔１ｅは、巻付部１ｃ上端部に径方向に貫通するように形成されている。巻付平面１ｆは、弦挿入孔１ｅの上側から、巻付部１ｃの途中まで下方に延びるとともに、弦挿入孔１ｅの開口部付近を角部として、弦Ｓの巻き付け方向に周方向に延びており、全体として矩形状のものである。また、巻付平面１ｆの周方向に延びる辺は、径方向に延びる弦挿入孔１ｅと鋭角（約４５°）をなし、巻付平面１ｆの弦挿入孔１ｅと反対側の端部と巻付部１ｃの円周面との境界部には、緩やかな角部が形成されている（図３参照）。なお、この巻付平面１ｆは、機械加工により、チューニングピン１の巻付部１ｃを切削することによって形成される。
【００２７】
このチューニングピン１によって弦Ｓを張設する際には、一端部をヒッチピン７に引っ掛け、中間部を、駒ピン９ａ，９ａに係合させるとともに、カポ・ダストロ・バー３ａの下側を通す。また、図３に示すように、弦Ｓの他端部をチューニングピン１の弦挿入孔１ｅの一方の開口部から他方の開口部付近まで挿入した後、チューニングピン１を時計回り方向に回転させる。これにより、弦Ｓは、巻付平面１ｆに沿って巻き付けられ、巻付平面１ｆの弦挿入孔１ｅの開口部付近の角部において、鋭角に曲げられるとともに、巻付平面１ｆの反対側の端部に形成された緩やかな角部において、鈍角に曲げられる。
【００２８】
以上のように、本実施形態によれば、巻付部１ｃに形成された巻付平面１ｆが、弦挿入孔１ｅの開口部付近を角部とし、弦Ｓの巻き付け方向に延びているので、弦Ｓが弦挿入孔の開口部付近において鋭角に曲げられることにより、弦Ｓの張力の分力が弦Ｓを弦挿入孔１ｅに押し込む方向に作用し、弦Ｓが弦挿入孔１ｅから抜ける方向にスリップしにくくなる。その結果、弦Ｓの緩みが防止されることで、その張設状態を良好に維持することができ、したがって、弦Ｓの音高を安定化させ、調律を容易に行うことができる。
【００２９】
さらに、巻付平面１ｆが１つのみであることで、巻付平面１ｆを形成することによる巻付部１ｃの断面積の減少が最小限に抑制されるので、チューニングピン１の強度および剛性の低下を抑制でき、それにより、チューニングピン１の破損や変形などの不具合を回避することができる。
【００３０】
また、巻付平面１ｆの弦挿入孔１ｅと反対側の端部と巻付部１ｃの円周面との境界部には、緩やかな角部が形成され、この角部においても弦Ｓが曲げられるので、その分、弦Ｓがより強固に保持され、弦Ｓの張設状態をさらに良好に維持することができる。
【００３１】
さらに、巻付平面１ｆが単純な矩形状に形成されているため、機械加工などによって巻付平面を既存のチューニングピンに追加工するだけで、チューニングピン１を容易に製作することができる。
【００３２】
なお、本実施形態では、弦挿入孔１ｅは、径方向に貫通しているが、その途中まで形成された非貫通孔として形成してもよい。また、図３には、巻付部１ｃに弦Ｓを４分の３周、巻いた状態を示しているが、巻数をそれ以上、増やしてもよいことはもちろんであり、巻き数が増えるほど、弦Ｓが通る角部の数がより多くなることによって、弦Ｓの張設状態をさらに良好に維持することができる。このことは、後述する第２および第３実施形態についても同様である。
【００３３】
次に、図４を参照しながら、第２実施形態によるチューニングピン１１を説明する。このチューニングピン１１の巻付部１１ｃには、弦挿入孔１１ｅおよび２つの巻付平面１１ｆ，１１ｆが形成されている。弦挿入孔１１ｅは、前述した第１実施形態と同様、巻付部１１ｃの上端部に径方向に貫通するように形成されている。
【００３４】
２つの巻付平面１１ｆ，１１ｆはそれぞれ、弦挿入孔１１ｅの上側から、巻付部１１ｃの途中まで下方に延びるとともに、弦挿入孔１１ｅの両端の開口部付近をそれぞれ角部として、弦Ｓの巻き付け方向に周方向に延びる矩形状のものである。また、巻付平面１１ｆ，１１ｆは、互いに同じ大きさおよび形状を有し、平行であり、各巻付平面１１ｆの周方向に延びる辺は、第１実施形態と同様、弦挿入孔１ｅと鋭角をなし、各巻付平面１１ｆの弦挿入孔１ｅと反対側の端部と巻付部１ｃの円周面との境界部には、それぞれ緩やかな角部が形成されている（図４参照）。
【００３５】
このチューニングピン１１によって弦Ｓを張設する際には、前述した第１実施形態の場合と同様にして、弦Ｓをセットするとともに、その一端部を、弦挿入孔１１ｅの一方の開口部から他方の開口部付近まで挿入した後、チューニングピン１１を時計回り方向に回転させる。これにより、弦Ｓは、弦挿入孔１１ｅの開口部付近の角部において、鋭角に曲げられるとともに、各巻付平面１１ｆの反対側の端部に形成された緩やかな角部において、鈍角に曲げられる。なお、巻付平面１１ｆ，１１ｆは、弦挿入孔１１ｅの両側にそれぞれ形成されているので、弦Ｓを弦挿入孔１１ｅのどちらの開口部から挿入しても、それに対応する巻付平面１１ｆによって、弦Ｓが同様に曲げられる。
【００３６】
以上のように、本実施形態によれば、弦挿入孔１１ｅの両開口部付近をそれぞれ角部とし、弦Ｓの巻き付け方向に延びる２つの巻付平面１１ｆ，１１ｆが形成されているので、弦挿入孔１１ｅの一方の開口部から挿入した弦Ｓが、それに対応する巻付平面１１ｆによって、鋭角に曲げられることで、弦Ｓの張設状態を良好に維持でき、第１実施形態と同様の効果を得ることができる。また、弦Ｓを弦挿入孔１１ｅのどちらの開口部から挿入しても同じ効果が得られるので、弦Ｓの張設の作業性を向上させることができる。
【００３７】
さらに、２つの巻付平面１１ｆ，１１ｆが形成されていることで、各巻付平面１１ｆの弦挿入孔１１ｅと反対側の端部と巻付部１１ｃの円周面との境界部に、それぞれ緩やかな角部が形成され、これらの角部においても弦Ｓが曲げられるので、その分、弦Ｓがより強固に保持され、弦Ｓの張設状態をさらに良好に維持することができる。
【００３８】
次に、図５を参照しながら、第３実施形態によるチューニングピン２１を説明する。このチューニングピン２１は、その巻付部２１ｃに、第２実施形態と同様の弦挿入孔２１ｅおよび２つの巻付平面２１ｆ，２１ｆに加えて、１つのガイド平面２１ｇを形成したものである。
【００３９】
このガイド平面２１ｇは、２つの巻付平面２１ｆ，２１ｆの互いに対向する一端部に連続し、巻付平面２１ｆ，２１ｆに対して直角に延びている。その結果、ガイド平面２１ｇと各巻付平面２１ｆとの境界部には、直角の角部が形成されている（図５参照）。また、ガイド平面２１ｇは矩形状で、巻付平面２１ｆと同じ大きさを有している。
【００４０】
このチューニングピン２１によって弦Ｓを張設する際には、前述した第１および第２実施形態の場合と同様にして、弦Ｓをセットするとともに、その一端部を、弦挿入孔２１ｅの一方の開口部から他方の開口部付近まで挿入した後、チューニングピン２１を時計回り方向に回転させる。これにより、弦Ｓは、弦挿入孔２１ｅの開口部付近において、鋭角に曲げられるとともに、巻付平面２１ｆとガイド平面２１ｇとの境界部の２つの角部において、直角に曲げられ、巻付平面２１ｆの反対側の端部に形成された緩やかな角部において、鈍角に曲げられる。
【００４１】
以上のように、本実施形態によれば、２つの巻付平面２１ｆ，２１ｆに加えて、それらに連続するガイド平面２１ｇが形成されていることで、各巻付平面２１ｆとガイド平面２１ｇとの境界部に形成された直角の角部においても、弦Ｓが曲げられるので、その分、弦Ｓがより強固に保持され、弦Ｓの張設状態をさらに良好に維持することができる。なお、実施形態では、ガイド平面２１ｇは１つのみであるが、これと対向するガイド平面２１ｇをさらに形成してもよい。
【００４２】
なお、本発明は、上述した実施形態に限定されることなく、種々の態様で実施することができる。例えば、実施形態では、巻付平面１ｆ、１１ｆ、２１ｆは、巻付部１ｃ，１１ｃ，２１ｃの上部にのみ形成されているが、弦挿入孔１ｅ，１１ｅ，２１ｅの開口部付近を角部とし、弦Ｓの巻き付け方向に延びている限り、巻付部１ｃ，１１ｃ，２１ｃの上下方向の全体にわたって形成してもよい。また、実施形態では、巻付平面１ｆ，１１ｆ，２１ｆは、チューニングピン１，１１，２１の軸線と平行であるが、傾斜していてもよい。
【００４３】
また、第２および第３実施形態では、２つの巻付平面１１ｆ，１１ｆ、２１ｆ，２１ｆは、互いに同じ大きさおよび形状を有し、平行であるが、大きさや形状が異なってもよく、あるいは平行でなくてもよい。さらに、第３実施形態では、ガイド平面２１ｇは、巻付平面２１ｆと同じ大きさおよび形状を有し、巻付平面２１ｆに対して直角に延びているが、２つの巻付平面２１ｆ，２１ｆに連続する限り、巻付平面２１ｆと大きさや形状が異なってもよく、斜めに延びていてもよい。その他、本発明の趣旨の範囲内で、細部の構成を適宜、変更することが可能である。
【００４４】
また、実施形態は、グランドピアノの例であるが、本発明は、他のタイプのピアノ、例えばアップライトピアノはもとより、グランド型またはアップライト型の消音ピアノや自動演奏ピアノに適用してもよい。
【符号の説明】
【００４５】
１    チューニングピン
１ｃ  巻付部
１ｅ  弦挿入孔
１ｆ  巻付平面
２    グランドピアノ（ピアノ）
３    フレーム（ピアノ本体）
１１    チューニングピン
１１ｃ  巻付部
１１ｅ  弦挿入孔
１１ｆ  巻付平面
２１    チューニングピン
２１ｃ  巻付部
２１ｅ  弦挿入孔
２１ｆ  巻付平面
２１ｇ  ガイド平面
Ｓ    弦
【図１】
2012073339.tif 000003
【図２】
2012073339.tif 000004
【図３】
2012073339.tif 000005
【図４】
2012073339.tif 000006
【図５】
2012073339.tif 000007